(57)【要約】    【課題】  熱交換器の細管の洗浄に使用したクリーナを産業廃棄物として廃棄することなく処理できるようにした熱交換器細管用クリーナの活用方法を提供する。    【解決手段】  熱交換器の細管を洗浄するのに用いられて廃棄されるべきクリーナを再利用するにあたり、クリーナがロッド又はワイヤー束にブラシ又はスクラバーを支持しその端部に受圧部品を取付けた構造を有しており、クリーナから受圧部品を取外し、残ったブラシ又はスクラバーとロッド又はワイヤー束の組合せ、あるいはこの組合せからロッド又はワイヤー束を抜き取ったブラシ又はスクラバーを再利用の素材として用いる。用途は例えば手持ち式ブラシや泥落しマットに活用できる。【選択図】  図４
2007024362.tif 000002
【特許請求の範囲】
【請求項１】
熱交換器の細管を洗浄するのに用いられて廃棄されるべきクリーナを再利用するにあたり、
上記クリーナがロッド又はワイヤー束にブラシ又はスクラバーを支持しその端部に受圧部品を取付けた構造を有しており、
上記クリーナから受圧部品を取外し、残ったブラシ又はスクラバーとロッド又はワイヤー束の組合せ、あるいはこの組合せからロッド又はワイヤー束を抜き取ったブラシ又はスクラバーを再利用の素材として用いるようにしたことを特徴とする熱交換器細管用の廃クリーナ活用方法。
【請求項２】
熱交換器の細管を洗浄するのに用いられて廃棄されるべきクリーナを再利用した製品であって、
ロッド又はワイヤー束にブラシ又はスクラバーを支持しその端部に受圧部品を取付けた構造を有するクリーナから受圧部品が取外され、残ったロッド又はワイヤー束の一端にはフック部品が嵌合され、他端側にチューブが外嵌されており、手持ち式ブラシとして再利用できるようにしたことを特徴とする熱交換器細管用の廃クリーナ活用製品。
【請求項３】
熱交換器の細管を洗浄するのに用いられて廃棄されるべきクリーナを再利用した製品であって、
ロッド又はワイヤー束にブラシ又はスクラバーを支持しその端部に受圧部品を取付けた構造を有する複数のクリーナから受圧部品が取外され、残った複数のロッド又はワイヤー束の両端が連結部材で相互に連結されており、手持ち式ブラシとして再利用できるようにしたことを特徴とする熱交換器細管用の廃クリーナ活用製品。
【請求項４】
熱交換器の細管を洗浄するのに用いられて廃棄されるべきクリーナを再利用した製品であって、
ロッド又はワイヤー束にブラシ又はスクラバーを支持しその端部に受圧部品を取付けた構造を有する複数のクリーナから受圧部品が取外され、残った複数のロッド又はワイヤー束からブラシ又はスクラバーが抜き出され、該抜き出されたブラシ又はスクラバーの中央の穴には一端にフックを有する芯材が挿通され、該芯材の他端側からブラシ又はスクラバーを抜け止めするための抜け止めチューブが外嵌されており、手持ち式ブラシとして再利用できるようにしたことを特徴とする熱交換器細管用の廃クリーナ活用製品。
【請求項５】
熱交換器の細管を洗浄するのに用いられて廃棄されるべきクリーナを再利用した製品であって、
ロッド又はワイヤー束にブラシ又はスクラバーを支持しその端部に受圧部品を取付けた構造を有する複数のクリーナから受圧部品が取外され、残った複数のロッド又はワイヤー束からブラシ又はスクラバーが抜き出され、該抜き出された複数のブラシ又はスクラバーの中央の穴には可撓性の連結部材が挿通され、該連結部材の両端が相互に連結されており、手持ち式ブラシとして再利用できるようにしたことを特徴とする熱交換器細管用の廃クリーナ活用製品。
【請求項６】
熱交換器の細管を洗浄するのに用いられて廃棄されるべきクリーナを再利用した製品であって、
ロッド又はワイヤー束にブラシ又はスクラバーを支持しその端部に受圧部品を取付けた構造を有する複数のクリーナから受圧部品が取外され、残った複数のロッド又はワイヤー束の両端が連結部材によって相互に連結され、該連結された複数のブラシ又はスクラバーの複数が並列に並べられており、マットとして再利用できるようにしたことを特徴とする熱交換器細管用の廃クリーナ活用製品。
【請求項７】
熱交換器の細管を洗浄するのに用いられて廃棄されるべきクリーナを再利用した製品であって、
ロッド又はワイヤー束にブラシ又はスクラバーを支持しその端部に受圧部品を取付けた構造を有する複数のクリーナから受圧部品が取外され、残った複数のロッド又はワイヤー束からブラシ又はスクラバーが抜き出され、該抜き出された複数のブラシ又はスクラバーの中央の穴には支持部材が挿通され、該支持部材によって支持されたブラシ又はスクラバーの複数が並列に並べられており、マットとして再利用できるようにしたことを特徴とする熱交換器細管用の廃クリーナ活用製品。
【発明の詳細な説明】
【技術分野】
【０００１】
この発明は熱交換器細管用の廃クリーナ活用方法に関し、特に熱交換器の細管の洗浄に使用したクリーナを産業廃棄物として廃棄することなく処理できるようにした方法に関する。
【背景技術】
【０００２】
例えば、火力発電所や原子力発電所などの各種プラント設備では熱交換器は重要な設備である。通常、熱交換器は細管内に水を流通させて熱交換を行わせるという構造となっているが、長期間にわたって運転すると、細管内にスラッジなどが付着する。特に、媒体に海水を用いると、フジツボなどが付着して運転不良が発生するおそれがある。
【０００３】
そこで、熱交換機の細管内にクリーナを挿入し、クリーナに高圧水などによって圧力を加えてクリーナを細管内に走行させることによって細管内の付着物を除去することが行われている（特許文献１）。
【０００４】
上述のクリーナはワイヤー束に樹脂製ブラシや金属製ブラシを植設してワイヤー束の捩じりこのワイヤー束の端部に受圧部品を固定した構造が採用されているが、樹脂製ブラシや金属製ブラシをロッドに外装してロッドの端部に受圧部品を取付けた構造、あるいは細管内に強固に付着しあるいは細管を閉塞した付着物や硬質スケールを除去できるように、ロッドに金属製又は高分子ポリマー製のスクラバーを支持しロッドの端部に受圧部品を固定した構造のクリーナも利用されている。
【０００５】
【特許文献１】特開平１０−２３２０９８号公報
【発明の開示】
【発明が解決しようとする課題】
【０００６】
しかし、上述のクリーナは３〜４回程度洗浄に使用すると、磨耗に起因して細管内の洗浄が実質的にできなくなるが、そのまま廃棄しようとすると、産業廃棄物として処理する必要があり、１つの熱交換器で使用するクリーナの数は膨大であり、コスト高となってしまう。
【０００７】
本発明はかかる問題点に鑑み、熱交換器の細管の洗浄に使用したクリーナを産業廃棄物として廃棄することなく処理できるようにした熱交換器細管用クリーナの活用方法を提供することを課題とする。
【課題を解決するための手段】
【０００８】
本件発明者は上述の課題を解決すべく鋭意研究を重ねたところ、熱交換器の細管の洗浄に使用するクリーナは磨耗に起因してすぐに細管内の洗浄に使用できなくなるというものの、磨耗の量は非常に少なく、外形上は新品のクリーナとほとんど差がなく、他の用途には再利用できることを知見するに至った。
【０００９】
通常、この種のクリーナでは高圧水をクリーナに吹き付けてクリーナを熱交換器の細管内に走行させる関係上、ロッドやワイヤー束に樹脂製ブラシや金属製ブラシ、金属製又は高分子ポリマー製のスクラバーを支持し、端部に受圧部品を固定した構造が採用されている。受圧部品はこの種のクリーナに特有のものであって、廃棄すべきクリーナを再利用する場合に邪魔になる。
【００１０】
そこで、本発明に係る熱交換器細管用の廃クリーナ活用方法は、熱交換器の細管を洗浄するのに用いられて廃棄されるべきクリーナを再利用するにあたり、上記クリーナがロッド又はワイヤー束にブラシ又はスクラバーを支持しその端部に受圧部品を取付けた構造を有しており、上記クリーナから受圧部品を取外し、残ったブラシ又はスクラバーとロッド又はワイヤー束の組合せ、あるいはこの組合せからロッド又はワイヤー束を抜き取ったブラシ又はスクラバーを再利用の素材として用いるようにしたことを特徴とする。
【００１１】
本発明の特徴の１つは熱交換器細管の洗浄に使用されて廃棄されるクリーナから、再利用の障害となる受圧部品を取り外し、残ったブラシ又はスクラバーとロッド又はワイヤー束の組合せ、あるいはこの組合せからロッド又はワイヤー束を抜き取ったブラシ又はスクラバーを素材として再利用するようにした点にある。
【００１２】
これにより、産業廃棄物として処理する必要がなくなり、コスト高を招来することなく熱交換器の細管の洗浄に使用できなくなった膨大な数のクリーナを処理することができることとなる。
【００１３】
得られたブラシ又はスクラバーとロッド又はワイヤー束の組合せ、あるいはブラシ又はスクラバーは具体的には手持ち式ブラシ又はマットとして再利用することができる。
【００１４】
即ち、本発明に係る熱交換器細管用の廃クリーナ活用製品は、熱交換器の細管を洗浄するのに用いられて廃棄されるべきクリーナを再利用した製品であって、ロッド又はワイヤー束にブラシ又はスクラバーを支持しその端部に受圧部品を取付けた構造を有するクリーナから受圧部品が取外され、残ったロッド又はワイヤー束の一端にはフック部品が嵌合され、他端側にはチューブが外嵌されており、手持ち式ブラシとして再利用できるようにしたことを特徴とする。
【００１５】
フック部品は先端部分がＵ字状やＬ字状に折り曲げられた金属製又は合成樹脂製の部材を用いることができる。チューブはブラシ又はスクラバーを抜け止めできればどのようなものでもよく、例えば軟質の合成樹脂製チューブを用いることができる。
【００１６】
本発明に係る交換器細管用の廃クリーナ活用製品は、熱交換器の細管を洗浄するのに用いられて廃棄されるべきクリーナを再利用した製品であって、ロッド又はワイヤー束にブラシ又はスクラバーを支持しその端部に受圧部品を取付けた構造を有する複数のクリーナから受圧部品が取外され、残った複数のロッド又はワイヤー束の両端が連結部材で相互に連結されており、手持ち式ブラシとして再利用できるようにしたことを特徴とする。
【００１７】
連結部材は複数のロッド又はワイヤー束の両端を相互に連結できればよく、例えば軟質の合成樹脂製チューブを用いることができる。
【００１８】
また、本発明に係る熱交換器細管用の廃クリーナ活用製品は、熱交換器の細管を洗浄するのに用いられて廃棄されるべきクリーナを再利用した製品であって、ロッド又はワイヤー束にブラシ又はスクラバーを支持しその端部に受圧部品を取付けた構造を有する複数のクリーナから受圧部品が取外され、残った複数のロッド又はワイヤー束からブラシ又はスクラバーが抜き出され、該抜き出されたブラシ又はスクラバーの中央の穴には一端にフックを有する芯材が挿通され、該芯材の他端側からブラシ又はスクラバーを抜け止めするための抜け止めチューブが外嵌されており、手持ち式ブラシとして再利用できるようにしたことを特徴とする。
【００１９】
本発明の廃クリーナ活用製品は形態的にはロッド又はワイヤー束の一端にロック部品を嵌合した上述の廃クリーナ活用製品と類似するが、本発明は特にロッド又はワイヤー束が損傷している場合に有効である。
【００２０】
また、本発明に係る熱交換器細管用の廃クリーナ活用製品は、熱交換器の細管を洗浄するのに用いられて廃棄されるべきクリーナを再利用した製品であって、ロッド又はワイヤー束にブラシ又はスクラバーを支持しその端部に受圧部品を取付けた構造を有する複数のクリーナから受圧部品が取外され、残った複数のロッド又はワイヤー束からブラシ又はスクラバーが抜き出され、該抜き出された複数のブラシ又はスクラバーの中央の穴には可撓性の連結部材が挿通され、該連結部材の両端が相互に連結されており、手持ち式ブラシとして再利用できるようにしたことを特徴とする。
【００２１】
可撓性の連結部材は例えばワイヤーロープ、ゴムロープ、軟質の合成樹脂製チューブなどを用いることができる。
【００２２】
また、本発明に係る熱交換器細管用の廃クリーナ活用製品は、熱交換器の細管を洗浄するのに用いられて廃棄されるべきクリーナを再利用した製品であって、ロッド又はワイヤー束にブラシ又はスクラバーを支持しその端部に受圧部品を取付けた構造を有する複数のクリーナから受圧部品が取外され、残った複数のロッド又はワイヤー束の両端が連結部材によって相互に連結され、該連結された複数のブラシ又はスクラバーの複数が並列に並べられており、マットとして再利用できるようにしたことを特徴とする。
【００２３】
連結部材はロッド又はワイヤー束の両端を相互に連結できればよく、例えば金属製又は合成樹脂製の連結チューブを用いることができる。
【００２４】
さらに、本発明に係る熱交換器細管用の廃クリーナ活用製品は、熱交換器の細管を洗浄するのに用いられて廃棄されるべきクリーナを再利用した製品であって、ロッド又はワイヤー束にブラシ又はスクラバーを支持しその端部に受圧部品を取付けた構造を有する複数のクリーナから受圧部品が取外され、残った複数のロッド又はワイヤー束からブラシ又はスクラバーが抜き出され、該抜き出された複数のブラシ又はスクラバーの中央の穴には支持部材が挿通され、該支持部材によって支持されたブラシ又はスクラバーの複数が並列に並べられており、マットとして再利用できるようにしたことを特徴とする。
【００２５】
支持部材は複数のブラシ又はスクラバーを支持できればよく、例えばワイヤーロープやゴムロープ、あるいはロッドを用いることができる。本発明は特にロッド又はワイヤー束が損傷している場合に有効である。
【発明を実施するための最良の形態】
【００２６】
以下、本発明を図面に示す具体例に基づいて詳細に説明する。図２及び図３は本発明に係る熱交換器細管用の廃クリーナ活用製品の好ましい実施形態を示す。図において、本例の廃クリーナ活用製品は手持ち式ブラシ１０に構成されている。この手持ち式ブラシ１０ではワイヤー束１１は捩じられ、このワイヤー束１１には金属製ブラシ１２が植設され、ワイヤー束１１の一端には防護用の軟質合成樹脂製チューブ１３が外嵌され、ワイヤー束１１の他端にはＬ字状の金属製フック部品１４が外嵌されている。
【００２７】
この手持ち式ブラシ１０は熱交換器の細管を洗浄するのに用いられて廃棄されるべきクリーナ１００を再利用して製作されたものであり、このクリーナ１００は図２の(a)に示されるように、ワイヤー束１１０に金属製ブラシ１１１を植設しその両端にゴム製の受圧部品１１２を取付けた構造を有している。
【００２８】
本例の手持ち式ブラシ１０を製造する場合、熱交換器の細管を洗浄するのに用いられた図１の(a)に示されるクリーナ１００のうち、廃棄されるべきクリーナ１００を回収し、図２に示されるように、クリーナ１００から両端の受圧部品１１２を取り外す。すると、ワイヤー束１１０と金属製ブラシ１１１の組合せが得られるので、ワイヤー束１１０の一端側にチューブ１３を嵌め、他端側にＬ字状のフック部品１４を嵌めると、図３に示される手持ち式ブラシ１０が得られる。
【００２９】
図４は第２の実施形態を示す。本例ではワイヤー束２１と金属製ブラシ２２の４つの組合せのワイヤー束２１の両端が連結チューブ２３によって相互に連結されて手持ち式ブラシ２０が構成されている。
【００３０】
ワイヤー束２１と金属製ブラシ２２の組合せは第１の実施形態において熱交換器の細管を洗浄するのに用いられて廃棄されるべきクリーナ１００から製作されたものと同様である。
【００３１】
図５は第３の実施形態を示す。本例では樹脂製ブラシ３２の中心穴に金属製ロッド（芯材）３１が挿通され、ロッド３１の一端側にはブラシ３２の抜け止め用の樹脂製チューブ３３が外嵌され、反対側にはブラシ３２を位置決めする樹脂製チューブ３３が外嵌され、ロッド３１の他端にはフックが折りまげ形成されている。
【００３２】
本例の手持ち式ブラシ１０を製造する場合、熱交換器の細管を洗浄するのに用いられた図１の(b)に示されるクリーナ２００のうち、廃棄されるべきクリーナ２００を回収する。このクリーナ２００は樹脂製ブラシ２１１の中央に挿通穴が形成され、挿通穴にロッド（図示せず）が挿通され、ロッドの一体に受圧部品２１２が、他端に抜け止め部品２１３が固定されている。
【００３３】
回収されたクリーナ２００から受圧部品２１２又は抜け止め部品２１３を取り外し、樹脂製ブラシ２１１を抜き出した後、樹脂製ブラシ２１１の中央の挿通穴にロッド３１を挿通し、ロッド３１の先端側に抜け止め用チューブ３３を嵌めると、本例の手持ち式ブラシ３０が得られる。なお、ロッド３１のフック側には予め位置決め用チューブ３３を嵌めておく。
【００３４】
図６は第４の実施形態を示す。本例では４本の樹脂製ブラシ４０の中央挿通穴に連結チューブ（連結部材）４１が挿通されて連結チューブ４１の両端が相互に固着されている。本例の樹脂製ブラシ４０は第３の実施形態における樹脂製ブラシ３０と同じ構造のブラシが用いられている。
【００３５】
図７及び図８は第５の実施形態を示す。本例は泥落しマット５０に適用した例である。泥落しマット５０は複数の棒状ブラシ５２を並べ、その両端部をフレーム５１に形成した凹部に嵌め込んで固定して構成されている。棒状ブラシ５２はワイヤー束１１０と金属製ブラシ１１１の組合せを多数用い、ワイヤー束２１の端部を連結チューブ（連結部材）１５で相互に連結して構成され、ワイヤー束１１０と金属製ブラシ１１１の組合せには図２に示される組合せと同じものが用いられている。
【００３６】
図９は第６の実施形態を示す。本例では複数の樹脂製ブラシ４０の中央挿通穴に樹脂製ロープ４５を挿通して棒状ブラシが構成され、樹脂製ロープ４５の両端は泥落しマット５０のフレーム５１に固定具等によって固定され、樹脂製ブラシ４０には図６に示されるものと同じものが用いられている。
【００３７】
なお、熱交換器の細管を洗浄するのに用いられるクリーナには図１の(a)(b)に示される構造以外に、同図の(c)(d)(e)に示されるような構造のもの３００、４００、５００があるが、これらも廃クリーナ活用製品に適用することが可能である。
【図面の簡単な説明】
【００３８】
【図１】本発明に係る熱交換器細管用の廃クリーナ活用方法に用いられるクリーナの例を示す図である。
【図２】本発明に係る熱交換器細管用の廃クリーナ活用方法の好ましい実施形態を説明するための図である。
【図３】本発明に係る熱交換器細管用の廃クリーナ活用製品の好ましい実施形態を説明するための図である。
【図４】第２の実施形態を示す図である。
【図５】第３の実施形態を示す図である。
【図６】第４の実施形態を示す図である。
【図７】第５の実施形態を示す全体図である。
【図８】上記実施形態における棒状ブラシの構造を示す図である。
【図９】第６の実施形態における棒状ブラシの構造を示す図である。
【符号の説明】
【００３９】
１０      手持ち式ブラシ
１１      ワイヤー束
１２      金属製ブラシ
１３      チューブ
１４      フック部品
２０      手持ち式ブラシ
２１      ワイヤー束
２２      金属製ブラシ
２３      連結チューブ（連結部材）
３０      手持ち式ブラシ
３１      金属製ロッド（芯材）
３２      樹脂製ブラシ
３３      抜け止めチューブ
４０      手持ち式ブラシ
４１      チューブ（連結部材）
４２      樹脂製ブラシ
５０      泥落しマット
５２      棒状ブラシ
６２      棒状ブラシ
【図１】
2007024362.tif 000003
【図２】
2007024362.tif 000004
【図３】
2007024362.tif 000005
【図４】
2007024362.tif 000006
【図５】
2007024362.tif 000007
【図６】
2007024362.tif 000008
【図７】
2007024362.tif 000009
【図８】
2007024362.tif 000010
【図９】
2007024362.tif 000011